(57)【特許請求の範囲】
【請求項１】
前身頃と後身頃とを構成する筒状体生地よりなる身頃本体部分の袖刳部と、筒状体生地よりなる左右の袖部分とを、袖刳部において縫着する際に、袖刳部の縫合線を、身頃本体の前後身頃の肩部を縫合してなる肩線の肩先の端部から前身頃方向に縫い始め、腋下部分を経て環状に前身頃と後身頃の袖刳部を縫製後、袖付けが終了する直前に縫い方向を肩線の延長方向と一致させ、そのまま前後身頃の肩線部分の直線の縫合に進み、衿刳部に達したときに袖付け及び前後身頃の肩部の縫合を終了することを特徴とするアンダーシャツの縫製方法。
【請求項２】
身頃本体の前後身頃の肩部を縫合してなる肩線の縫い目位置を、着用者の肩部において後身頃側に位置させたことを特徴とする請求項１に記載のアンダーシャツの縫製方法。
【発明の詳細な説明】
【技術分野】
【０００１】
本発明は、アンダーシャツの縫製方法、特に前後身頃の肩線における縫製と袖刳の縫製との工程に特徴を有する縫製方法に関する。
【背景技術】
【０００２】
肌着等の被服にあって、身頃に袖を取り付ける手段として、身頃に対し垂直に取り付けるセットインスリーブという袖型が一般的である（特許文献１）。また、肩部にゆとりを持たせた自由度を得られスポーツ用衣料には衿刳から脇下にかけての斜めの切り替え線を入れ、肩と続きになった袖部分を身頃につけたラグランスリーブという袖型が用いられることが多い（特許文献２）。また、ラグランスリーブの変形の肩の縫目から前がセットインスリーブ、後方がラグランスリーブとなっている袖型もあり、スプリットラグランスリーブ又はワンサイドラグランスリーブとも云われ（特許文献３）、これらの袖型は縫製のパーツが多く、従って工程も多いため作業が煩雑となる。
【先行技術文献】
【特許文献】
【０００３】
【特許文献１】特開２０００−１２９５１３号公報
【特許文献２】特開２０００−７０３７９号公報
【特許文献３】実用新案登録第３１０１０９６号公報
【発明の概要】
【発明が解決しようとする課題】
【０００４】
本発明は、上記の点に鑑みて、前身頃の袖付けラインはセットインスリーブの袖付けラインとし、後身頃の袖付けラインはラグランスリーブの袖付けラインとし、そのラインの縫製時に袖付けラインを連続した一本の縫合線として縫い上げることによって、身頃に対する袖付けの作業を容易に、かつ、工程を少なくして行うことが出来るようにすることを目的としている。
【課題を解決するための手段】
【０００５】
請求項１記載の発明は、前身頃と後身頃とを構成する筒状体生地よりなる身頃本体部分の袖刳部と、筒状体生地よりなる左右の袖部分とを、袖刳部において縫着する際に、袖刳部の縫合線を、身頃本体の前後身頃の肩部を縫合してなる肩線の肩先の端部から前身頃方向に縫い始め、腋下部分を経て環状に前身頃と後身頃の袖刳部を縫製後、袖付けが終了する直前に縫い方向を肩線の延長方向と一致させ、そのまま前後身頃の肩線部分の直線の縫合に進み、衿刳部に達したときに袖付け及び前後身頃の肩部の縫合を終了することにした。
請求項２記載の発明は、請求項１記載の発明において、身頃本体の前後身頃の肩部を縫合してなる肩線の縫い目位置を、着用者の肩部において後身頃側に位置させた。
【発明の効果】
【０００６】
本発明の縫製方法にあっては、前身頃と後身頃とを構成する筒状体生地よりなる身頃本体部分の袖刳部と、筒状体生地よりなる左右の袖部分の袖山部とを、袖刳部において縫着する際に、袖刳部の縫合線を、身頃本体の肩線の肩先の端部から前身頃方向に縫い始め腋下部分を経て環状に前身頃と後身頃の袖刳部を縫製後、袖付けが終了する直前に縫い方向を肩線の延長方向と一致させ、そのまま前後身頃の肩線部分の直線の縫合に進み、衿刳部に達したときに袖付け及び前後身頃の肩部の縫合を終了することとしたため、前身頃の袖付けラインはセットインラインとなり後身頃の袖付けラインはラグランラインとなり、ラインの軌跡は前身頃のセットインラインから後身頃のラグランラインを脇下部分を通り袖刳山を後身頃の肩位置で連続させた環状の「の」の字状とる一筆書の如き連続した縫製により袖付けが可能となり、複数工程の縫製が行われた作業が１回の連続した一筆書による縫製で行うことが可能となり作業能率を極めて高めることが出来る。
また、上記の縫製により身頃本体の前後身頃の肩部を縫合してなる肩の縫い目線を、着用者の肩部において後身頃側にずらすことが可能で肌への縫目の当たりを軽減して着心地を改善することが出来る。
【図面の簡単な説明】
【０００７】
【図１】本発明方法により作られたアンダーシャツの正面図。
【図２】本発明方法により作られたアンダーシャツの背面図。
【図３】本発明方法により作られたアンダーシャツの身頃本体生地の正面図。
【図４】本発明方法により作られたアンダーシャツの身頃本体生地の背面図。
【図５】左袖展開図。
【図６】右袖展開図。
【発明を実施するための形態】
【０００８】
本発明をアンダーシャツ１の縫製につき図面と共に次に説明する。図１、図２に示す如く、アンダーシャツ１は、前身頃２，後身頃３よりなる身頃本体４と、左右の袖部５（左袖５ａ，右袖５ｂ）とよりなる。身頃本体４は上部中央に衿刳６を、上部左右に袖刳７，７を設けている。左右の袖５ａ，５ｂは、その展開図〔図５〕，〔図６〕に示す如き形状で、袖下線８，８が縫合され袖口９，袖刳山１０が開口した筒状体をなしている。
【０００９】
ここで前後身頃２，３を構成する身頃本体４と袖部５とを縫着する。身頃本体４の右側に右袖５ｂを縫着する例について説明する。前身頃２の右側の肩部先端生地１４の側端に設けられている袖刳７と、取り付けるべき右袖５ｂの袖刳山１０とを縫合する。その縫合は、前身頃２の右側の肩部先端生地１４の側部から袖刳７に従って環状に縫合するが、環状の袖付けが終了する直前に縫い方向を環状から直線に次第に変更し、袖刳の縫製を終え、そのまま前後身頃の肩部分の縫製をすることで衿刳６に達したときに右袖付けの縫合を終わる。
そして衿刳６にはテープ１５を縫着するなど適宜の処理をする。
【００１０】
次に反対側の左袖部分５ａの取り付けが行われるが、右袖部分５ｂと対象に構成されるが、その縫製過程は全く同一である。
即ち、前身頃２の左側肩部先端生地１４の側端に設けられている袖刳７と取り付けるべき左袖部分５ａの袖刳山１０とを縫合する。そして、前身頃の肩先部分から袖刳部分を始め、袖刳を一周してから肩線の直線に入り衿刳部まで縫合する。
【００１１】
上記の如く、肩線から袖刳の縫製にかけての縫目の軌跡がいわば「の」の字の一筆書きの如き構成となっているためにラグランスリーブとセットインスリーブとが合体した如き構成の袖付が、一工程の縫目線で構成されている。
【００１２】
上記の如く、本発明方法にあっては袖刳７の縫製工程の際に、肩継ぎ,袖付け等の処置を行うため、以下の操作を行わなければならなかった。
即ち、肩継ぎでは、
（１）仕掛品をミシン押さえ下にズレに注意しながら揃えてＳＥＴ
（２）ミシンを踏んで縫製
（３）次工程の作業の為、向きを同一方向に揃えて置く
袖付けでは
（４）肩継ぎまで出来た仕掛かりを持ってくる
（５）身頃と袖地縫い線を所定の位置に合わせながらミシンの押さえ下にＳＥＴ
（６）ミシンを踏んで縫製
（７）次工程の作業の為、向きを同一方向に揃えて置く
であり、例えば縫製に関しては実際にミシンが作動している時間は（２）（６）のみであり、その他は（２）（６）動作のための行動であり，本発明の如く袖付け工程をその隣接工程と共に一貫して行えば、隣接工程中省略可能な作業、上記の例では（３）（４）（５）の省略が見込まれ作業効率上も極めて有効である。
【符号の説明】
【００１３】
１  アンダーシャツ  
２  前身頃  
３  後身頃  
４  身頃本体
５  袖部  
５ａ  左袖
５ｂ  右袖
６  衿刳
７  袖刳
８  袖下線
９  袖口
１０  袖刳山 
１１  肩線
１２  肩先の端部
１３  腋下部分
１４  肩部先端生地
１５  テープ
【図１】
0005440919.tif 000002
【図２】
0005440919.tif 000003
【図３】
0005440919.tif 000004
【図４】
0005440919.tif 000005
【図５】
0005440919.tif 000006
【図６】
0005440919.tif 000007